(57)【要約】【課題】  咬合採得後の咬合床に対して、多様な形象及び色調に係る人工歯が実際に咬合床に排列されたと同等の状態を簡単に実現できる手段を提供する。【解決手段】  柔軟なシート状材料の表面に、多様な形状、大きさ、並び、更に好ましくは色調に係る上前歯用又は下前歯用の人工歯の各一例が、写真又はイラストレーションによって画像表現されている人工歯シール。この人工歯シールの裏面に一定の厚み変化を伴うスペーサーを接合させることにより、出歯等の患者にも適合させたスペーサー付き人工歯シール。【選択図】      図４
2007044111.tif 000002
【特許請求の範囲】
【請求項１】
柔軟なシート状材料の表面に、上前歯用又は下前歯用の人工歯の多様な形象の各一例が、写真又はイラストレーションによって画像表現されていることを特徴とする人工歯シール。
【請求項２】
前記の画像表現された人工歯の形象が人工歯の形状、大きさ、並びであることを特徴とする請求項１に記載の人工歯シール。
【請求項３】
前記写真又はイラストレーションが、実物たる人工歯の多様な色調の各一例を忠実に再現したカラー写真又はカラーイラストレーションであることを特徴とする請求項１又は請求項２に記載の人工歯シール。
【請求項４】
前記人工歯シールが、画像表現された人工歯の部分のみからなり、又はその左右上下のいずれか一方向以上に延設されたシール余白部を伴うことを特徴とする請求項１〜請求項３のいずれかに記載の人工歯シール。
【請求項５】
前記シール余白部が透明であることを特徴とする請求項４に記載の人工歯シール。
【請求項６】
前記人工歯シールの裏面が接着能力を付与されていることを特徴とする請求項１〜請求項５のいずれかに記載の人工歯シール。
【請求項７】
請求項１〜請求項６のいずれかに記載の人工歯シールの裏面に一定の厚み変化を伴うスペーサーを接合させることにより、前歯部人工歯における出歯その他の立体的特殊性に適合させたことを特徴とするスペーサー付き人工歯シール。
【請求項８】
前記スペーサーが柔軟な材料からなり、及び／又は、圧縮変形可能な材料からなることを特徴とする請求項７に記載のスペーサー付き人工歯シール。
【請求項９】
前記スペーサー付き人工歯シールにおけるスペーサーの裏面が接着能力を付与されていることを特徴とする請求項７又は請求項８に記載のスペーサー付き人工歯シール。
【請求項１０】
総義歯又は部分義歯の作製時における人工歯排列工程において、請求項１〜請求項６のいずれかに記載の人工歯シール又は請求項７〜請求項９のいずれかに記載のスペーサー付き人工歯シールであって多様な形象及び色調に係るものを咬合床の咬合堤に配置又は貼付して検討作業を行うことにより、最適の前歯人工歯を画像表現した人工歯シール又はスペーサー付き人工歯シールを選択して、これを配置又は貼付した咬合床を作製することを特徴とする人工歯シールの利用方法。
【発明の詳細な説明】
【技術分野】
【０００１】
本発明は、義歯の作製時における咬合床への人工歯排列工程で、前歯用人工歯の形象又は色調の選択を効率的に行うことができ、しかも実際に人工歯を埋め込み排列したと同等の義歯試作品を簡易に作製できる人工歯シール又はスペーサー付き人工歯シールと、これらの利用方法とに関する。
【背景技術】
【０００２】
義歯、例えば総義歯の作製時においては、いわゆる咬合採得を行った後、咬合床の咬合堤に対して上下の前歯と臼歯との人工歯を排列する工程が行われる。
【０００３】
この内、前歯用人工歯の排列においては審美的な要素も大きく考慮する必要があり、単に機能的に良好な人工歯排列では、患者の満足は得られない。義歯によって患者の審美を良好に回復するためには、人工歯排列工程において、咬合床の咬合平面、正中線、口角線、口唇線等を正確に決定し、更に、例えば男性的、女性的、若々しさ、前歯人工歯の豊隆等の患者に好ましい審美的特徴を考慮して、咬合床の咬合堤に排列すべき最適の形象（形状、大きさ、並び）と色調を持った人工歯を選択して排列する必要がある。このような事情は、部分義歯（喪失歯の補綴）の場合においても基本的に同様である。
【０００４】
そのため従来は、決定した咬合平面、正中線、口角線、口唇線等を実際に咬合床に書き込んで記録し、更に、様々な形象及び色調に係る多様な人工歯サンプルの中から、患者の特徴を考慮しながら最適の人工歯を選択して、咬合床の咬合堤に埋め込み排列していた。
【発明の開示】
【発明が解決しようとする課題】
【０００５】
しかしながら、咬合床に対する上記のような咬合平面、正中線、口角線、口唇線等の書き込み記録は煩雑な作業であった。咬合床に対する直接の書き込みであるから、何らかの事情で書き込みを修正したい場合も、簡単ではなかった。
【０００６】
又、特定の人工歯を咬合堤に埋め込んで排列した場合の仕上がり状態を頭の中だけで正確に予測イメージすることは困難であり、従って通常は、選択した人工歯を実際に埋め込み排列して見て適否を評価・検討すると言う、トライアンドエラー方式となっていた。この方式では、試作したものが予測とは異なる仕上がりであったり、患者の希望に沿わなかったりする場合も多く、人工歯の埋め込み排列による義歯の試作を繰り返すこととなり、極めて非効率である。
【０００７】
このような非効率を少しでも回避しようとする場合、例えば咬合床の前歯部分に人工歯サンプルを近接位置させて見比べることにより、排列後の仕上がり状態を仮想して検討することも考えられる。しかし、この場合の人工歯サンプルは、特殊な曲面を持つ立体物たる咬合床に実際に埋め込んで排列された状態とは大きく異なる。従って、立体性を伴う判断事項、例えば患者の方型、尖型、卵円型等の顔面形態とのマッチング、前歯部人工歯のいわゆる豊隆の判断等や、人工歯の並びの判断、あるいはそれらの総合としての審美性の適否の判断等に正確を期することができない。
【０００８】
又、人工歯の選択について、咬合採得時等に予め患者の意見や希望を聴取することも極めて有効であるが、単に人工歯サンプルを咬合床に近接位置させただけの状態を見せられてで意見や希望を求められても、仕上がり状態を正確にイメージできないため、患者としても自信を持って返答できない。
【０００９】
更に、選択した人工歯サンプルを咬合床に埋め込んでいない状態では、両者が一体になっていないため、保管や取扱い上も極めて不便である。
【００１０】
従来、シェードガイドと称する人工歯の色調見本は提供されている。しかし、このシェードガイドを利用する場合、選択すべき人工歯の色調については予測判断が可能であるとしても、シェードガイドに表現された人工歯見本を、実際に人工歯を咬合床に埋め込んで排列した場合と同等の状態に設定することは、困難であった。
【００１１】
【特許文献１】特開２００２−１４３１８６  上記特許文献１には、人工歯排列正中線位置決定器具が開示されている。この器具は、特許文献１の図１に示すように、人工仮歯本体１の中央位置に正中位置指針２を設け、人工仮歯本体１の貼り付け部６の側面の中央に正中位置止め金具３を設け、中切歯５、５の両側に保持固定金具４、４を設けたものである。
【００１２】
しかし、この器具は、要するに所定の使用形態によって人工歯排列における正中線の位置を正確に決定するためにのみ使用できる器具であって、上記したような問題の解決には役立たない。
【００１３】
そこで本願発明は、咬合採得後の咬合床に対して実際に上前歯用又は下前歯用の人工歯を埋め込み排列することなく、しかも多様な形象及び色調に係るこれらの人工歯が実際に咬合床に埋め込み排列されたと同等の状態を簡単に実現できる手段を提供することを、解決すべき技術的課題とする。
【課題を解決するための手段】
【００１４】
（第１発明の構成）
上記課題を解決するための本願第１発明の構成は、柔軟なシート状材料の表面に、上前歯用又は下前歯用の人工歯の多様な形象の各一例が、写真又はイラストレーションによって画像表現されている、人工歯シールである。
【００１５】
（第２発明の構成）
上記課題を解決するための本願第２発明の構成は、前記第１発明に係る画像表現された人工歯の形象が、人工歯の形状、大きさ、並びである、人工歯シールである。
【００１６】
（第３発明の構成）
上記課題を解決するための本願第３発明の構成は、前記第１発明又は第２発明に係る写真又はイラストレーションが、実物たる人工歯の多様な色調の各一例を忠実に再現したカラー写真又はカラーイラストレーションである、人工歯シールである。
【００１７】
（第４発明の構成）
上記課題を解決するための本願第４発明の構成は、前記第１発明〜第３発明のいずれかに係る人工歯シールが、画像表現された人工歯の部分のみからなり、又はその左右上下のいずれか一方向以上に延設されたシール余白部を伴う、人工歯シールである。
【００１８】
（第５発明の構成）
上記課題を解決するための本願第５発明の構成は、前記第４発明に係るシール余白部が透明である、人工歯シールである。
【００１９】
（第６発明の構成）
上記課題を解決するための本願第６発明の構成は、前記第１発明〜第５発明のいずれかに係る人工歯シールの裏面が接着能力を付与されている、人工歯シールである。
【００２０】
（第７発明の構成）
上記課題を解決するための本願第７発明の構成は、第１発明〜第６発明のいずれかに係る人工歯シールの裏面に一定の厚み変化を伴うスペーサーを接合させることにより、前歯部人工歯における出歯その他の立体的特殊性に適合させた、スペーサー付き人工歯シールである。
【００２１】
（第８発明の構成）
上記課題を解決するための本願第８発明の構成は、前記第７発明に係るスペーサーが柔軟な材料からなり、及び／又は、圧縮変形可能な材料からなる、スペーサー付き人工歯シールである。
【００２２】
（第９発明の構成）
上記課題を解決するための本願第９発明の構成は、前記第７発明又は第８発明に係るスペーサー付き人工歯シールにおけるスペーサーの裏面が接着能力を付与されている、スペーサー付き人工歯シールである。
【００２３】
（第１０発明の構成）
上記課題を解決するための本願第１０発明の構成は、総義歯又は部分義歯の作製時における人工歯排列工程において、第１発明〜第６発明のいずれかに係る人工歯シール又は第７発明〜第９発明のいずれかに係るスペーサー付き人工歯シールであって、多様な形象及び色調に係るものを咬合床の咬合堤に配置又は貼付して検討作業を行うことにより、最適の前歯人工歯を画像表現した人工歯シール又はスペーサー付き人工歯シールを選択して、これを配置又は貼付した咬合床を作製する、人工歯シールの利用方法である。
【発明の効果】
【００２４】
（第１発明の効果）
第１発明の人工歯シールにおいては、柔軟なシート状材料の表面に、上前歯用又は下前歯用の人工歯の多様な形象の各一例が写真又はイラストレーションによって画像表現されている。
【００２５】
即ち、人工歯シールが柔軟なシート状材料からなるので、患者によって異なる特殊曲面を持つ立体物たる咬合床（の咬合堤）において、その上前歯及び／又は下前歯を排列すべき位置に人工歯シールを、密着状態にフィットさせて配置したり、貼り付けたりすることが容易である。
【００２６】
従って、咬合床の正しい所定位置に人工歯シールを配置又は貼付することによって、上前歯用及び／又は下前歯用の人工歯を埋込み排列することなく、しかも実際に埋込み排列されたと同等の空間位置状態で、その人工歯シールに表現された人工歯の適否を正確に予測・判断できる。その状態で、人工歯について患者の意見や希望を聞く際も、患者は自信を持って返答することができる。
【００２７】
その人工歯シールに表現された人工歯が不適合である場合には、他の形象に係る歯列が表現された他の人工歯シールと順次置換して判断して行けば良い。このような人工歯シールの一回の置換が、従来技術における人工歯の一回の埋込み排列作業に相当するので、作業効率の向上は著しい。
【００２８】
又、シート状材料たる人工歯シールには、その人工歯シールに固有の記録事項としての咬合平面、正中線、口角線、口唇線等を書き込むことができ、咬合床に対する直接の書き込みを不要化できる。何らかの事情で書き込みの修正を要する場合でも、シールにに対する書き込みの修正であるため、極めて容易である。
【００２９】
次に、最適の歯列を表現した人工歯シールを選択し、咬合床の咬合堤における正確な位置に配置又は貼付したものは、その人工歯シール上に咬合平面、正中線、口角線、口唇線等を書き込んだ後において、実際に咬合床に人工歯を排列したものと同等の義歯試作品として利用できる。この試作品は咬合床と人工歯シールとが一体になっているので保管や取扱いが極めて便利であり、又、人工歯を実際に埋め込み排列した義歯試作品では、他の機材や部材との接触によってしばしば人工歯が脱落すると言う不具合もあるが、人工歯シールを配置又は貼付したものにはそのような不具合が起こり難く、仮に人工歯シールが咬合床から剥離しかかっても、再度貼り直すだけで良いから非常に便利である。
【００３０】
更に、第１発明に係る人工歯シールは、そのままで使用することにより、いわゆる総義歯に利用できるし、人工歯シールの一部を適宜なカッターで切り離すことにより、部分義歯にも利用することができる。
【００３１】
（第２発明の効果）
上記した第１発明において、画像表現された「人工歯の形象」の内容としては、限定はされないが、少なくとも人工歯の形状、大きさ、並びを表現したものであることが好ましい。
【００３２】
（第３発明の効果）
上記第１発明に係る人工歯シールとしては、人工歯を表現した写真又はイラストレーションが、実物たる人工歯の多様な色調の各一例を忠実に再現したカラー写真又はカラーイラストレーションであることが、とりわけ好ましい。第３発明に係る人工歯シールを用いれば、上記した第１発明や第２発明の効果に加えて、人工歯の審美に重要な影響を持つ前歯の色調についても、例えば健康的な色調の人工歯、患者の既存の歯と調和した色調の人工歯、等の最適の色調の人工歯を選択することができる。
【００３３】
（第４発明の効果）
人工歯シールは、画像表現された人工歯の部分のみからなっていても良いし、その部分に加えて、ある程度のシール余白部を伴っていても良い。シール余白部があると、商品としての人工歯シールの流通・保管時の取扱いや、咬合床への人工歯シールの配置又は貼付等の際の取扱いに便宜であり、使用時にシール余白部が邪魔である場合には、必要に応じて簡単に切り取ることもできる。
【００３４】
（第５発明の効果）
咬合床に配置又は貼付した人工歯シールにおけるシール余白部が透明であると、画像表現された人工歯の色調の判断等において咬合床の地色部がそのまま透視されるため、人工歯の正確な色調判断等のために好ましい。又、このようなシール余白部は、例えば咬合平面、正中線、口角線、口唇線等やそれらに関する付記事項等の書き込みにも利用できる。
【００３５】
（第６発明の効果）
人工歯シールは、その裏面（人工歯の表現部分の裏面、及び／又は、シール余白部の裏面）が接着能力を付与されていることも好ましい。その接着能力により、咬合床の所定部分に対して人工歯シールを強く接着させることができる。
【００３６】
この場合、人工歯シールの裏面における接着能力を付与された部分には、使用時に到るまで他の部材に徒らに接着することを避けるため、簡単に剥離することが可能なカバーシートを被覆しておいても良い。
【００３７】
（第７発明の効果）
第７発明に係るスペーサー付き人工歯シールは、以上の各発明に係る人工歯シールの裏面に一定の厚み変化を伴うスペーサーを接合させ、前歯部人工歯における出歯その他の立体的特殊性に適合させたものである。
【００３８】
このスペーサー付き人工歯シールによって、最も端的には、出歯の患者に対する義歯の作製過程において、その立体的特殊性に適合した人工歯シールを用いて最適の人工歯のイージを具体的に表現することができる。又、一般的に、人工歯による前歯の豊隆のイージも具体的に表現することができる。
【００３９】
（第８発明の効果）
上記の第７発明で用いるスペーサーとしては、軟質プラスチック性エラストマー材料やゴム材料等からなる柔軟な材料を用いたもの、及び／又は、軟質発泡樹脂材料等からなる圧縮変形可能な材料を用いたものが、使用時の便宜から、特に好ましい。
【００４０】
（第９発明の効果）
上記のスペーサー付き人工歯シールにおいても、「第６発明の効果」欄で述べた理由から、スペーサーの裏面が接着能力を付与されていることが好ましい。
【００４１】
（第１０発明の効果）
第１０発明においては、総義歯又は部分義歯の作製時における人工歯排列工程において、上記した種々の形象及び色調に係る人工歯シール又はスペーサー付き人工歯シールを咬合床の咬合堤に配置又は貼付して検討作業を行うので、極めて簡易に、かつ正確な予測イメージを伴って最適の前歯人工歯を画像表現した人工歯シール又はスペーサー付き人工歯シールを選択し、これを配置又は貼付した咬合床を作製することができる。
【発明を実施するための最良の形態】
【００４２】
次に、第１発明〜第１０発明を実施するための形態を、その最良の形態を含めて説明する。以下において「本発明」と言うときは、本願の各発明を全体的に指している。
【００４３】
〔人工歯シール〕
本発明の人工歯シールは、柔軟なシート状材料の表面に上前歯用又は下前歯用の人工歯を画像表現したものである。
【００４４】
この画像は、多様な形象（形状、大きさ、並び等）及び色調に係る人工歯実物の各一例を、好ましくは原寸大の写真、又はその写真と遜色のない正確なイラストレーションにより、表現したものである。これらの写真やイラストレーションは、カラー写真やこれと遜色のない正確な色調のカラーイラストレーション等のように、その色調においても人工歯の実物の色調を忠実に再現したものであることが、特に好ましい。
【００４５】
画像表現された人工歯は、通常のように６個（３対）の前歯が表現されたものが好ましいが、その一部のみが画像表現されたものでも良い。６個の前歯のうち、特定の１個又は２個以上の前歯が間欠的に欠落した状態の歯列を画像表現したものも使用できる。更に、６個の前歯が画像表現された人工歯シールについて、使用に当たり特定の前歯部分のみを切り落として使用することもできる。
【００４６】
柔軟なシート状材料の種類は限定されないが、例えば紙製又は軟質プラスチック製の柔軟なシート状材料を好ましく例示できる。シート状材料は、画像表現された人工歯の部分のみからなるものでも良いし、その左右上下のいずれか一方向以上に延設されたシール余白部を伴うものでも良い。人工歯部分が画像表現された部分のみからなる柔軟なシート状材料である人工歯シートを、これよりやや面積の大きい柔軟なシート状材料であるベースシート上に貼付して、結果的に上記のシール余白部を伴う状態となったものでも良い。
【００４７】
人工歯シールが以上のようにシール余白部を伴う場合において、この余白部が透明であるか否かは限定されないが、特に透明であること、とりわけ無色透明であることが好ましい。
【００４８】
人工歯シールを配置又は貼付するための咬合床（咬合堤）は、通常はパラフィンワックス製等のワックス製であるため、例えば軟質プラスチックシートからなる人工歯シール等を、そのままで付着させることができる場合もある。人工歯シールの裏面が接着剤の塗布等により接着能力を付与されていることも好ましい。この場合、使用時に到るまで接着剤が他の部材等に不必要に接着することを避けるため、簡単に剥離することが可能なカバーシートを接着剤層に対して被覆しておいても良い。
【００４９】
更に、裏面に接着能力を付与した人工歯シールの簡易な作製方法として、人工歯の原寸大実写画像の切り抜きを準備して、その画像側の面を一定の長さを有するセロハン接着テープにおける接着面の中央部に貼付し、セロハン接着テープの接着面における両端の余白部を咬合床に対する接着手段として利用することもできる。
【００５０】
〔スペーサー付き人工歯シール〕
本発明のスペーサー付き人工歯シールは、上記した各種の形態に係る人工歯シールの裏面に、一定の厚み変化を伴うスペーサーを接合させたものである。このスペーサーを咬合床と人工歯シールの間に介在させると、例えば出歯の患者に対する義歯前歯部を咬合床に排列する場合のように、歯列が一定の立体的特殊性を伴う患者に対して排列を適合化させるために有効である。又、一般に、咬合床における前歯部の排列において、患者に適合した豊隆を適切に表現できる。従ってこのようなスペーサーは、人工歯シールが出歯等の立体的排列に対応した凹凸を与えられるように、一定の厚み変化を伴う。
【００５１】
スペーサーは、湾曲面である咬合床前歯部にフィットさせるために、好ましくはエラストマー、ゴム等の柔軟な材料からなる。更に好ましくは、圧縮変形可能な軟質の発泡材料からなる。柔軟性及び／又は圧縮変形性を持たない材料を用いてスペーサーを構成することも可能であるが、その場合のスペーサーは、一定の厚み変化を伴うと共に、咬合床前歯部にフィットできるように、予め湾曲面形状に形成される。
【００５２】
以上のスペーサー付き人工歯シールにおいても、咬合床に対する配置又は貼付の便宜から、スペーサーの裏面に接着能力を付与することが好ましい。接着能力の付与形態は、上記した人工歯シールの場合と同様である。
【００５３】
〔人工歯シールの利用方法〕
本発明に係る人工歯シールの利用は、総義歯又は部分義歯の作製時における人工歯排列工程において行われる。この人工歯シールの利用方法においては、上記した各種の形態に係る人工歯シール又は上記した各種の形態に係るスペーサー付き人工歯シールであって、多様な人工歯の形状、大きさ、並び等の形象、又は更に色調に係るもの、あるいは更に各種のスペーサーを組み合わせて調製したものを、咬合床の咬合堤に配置又は貼付して検討作業を行い、最適の前歯人工歯を画像表現した人工歯シール又はスペーサー付き人工歯シールを選択して、これを配置又は貼付した咬合床を作製する。
【００５４】
ここに、「配置」とは、人工歯シール又はスペーサー付き人工歯シールを咬合床の咬合堤に対して密着状態に付着させ、人工歯が排列されたのと同等の外観状態とすることを言う。又、「貼付」とは、人工歯シール又はスペーサー付き人工歯シールをその裏面の接着能力を利用して咬合床の咬合堤に対して密着状態に接着させ、人工歯が排列されたのと同等の外観状態とすることを言う。
【００５５】
上記の検討作業には、人工歯シール又はスペーサー付き人工歯シールに対する咬合平面、正中線、口角線、口唇線等の書き込みも含まれる。選択された最適の前歯人工歯の人工歯シール又はスペーサー付き人工歯シールを配置又は貼付した咬合床は、そのまま義歯作製における試作品として、咬合器装着の指標、人工歯排列試適又は義歯の完成等に役立てることができる。
【実施例】
【００５６】
次に本発明の実施例を図面に基づいて説明する。本発明の技術的範囲は、これらの実施例によって制約されない。
【００５７】
図１及び図２（ａ）に示す義歯作製用の人工歯シール１は、柔軟なプラスチック製のシート状材料であるベースシート２の表面に、上前歯用の人工歯が原寸大の実写カラー写真で画像表現された人工歯シート３を接着したものである。
【００５８】
ベースシート２は無色透明であり、その裏側面〔図２（ａ）の左側面〕には、接着剤が塗布されている。図１において、歯列の右端２個の歯の部分に一定の書込み４があるように、人工歯シート３あるいはベースシート２の余白部には義歯作製に必要又は有益な任意の記号等を書込むことができる。
【００５９】
なお、上記のようにベースシート２の表面に人工歯シート３を接着する代わりに、ベースシート２の表面側に、原寸大の実写カラー写真で画像表現された上前歯用の人工歯が印刷されていても良い。又、人工歯シート３には上前歯の６個の歯列が画像表現されているが、この内の特定の１個又は２個以上の歯が欠落した状態の歯列が画像表現されていても良い。
【００６０】
更に、上記のベースシート２として透明なセロハン接着テープを用い、その接着面に上記の人工歯シート３を貼付しても良い。この場合には、人工歯シート３の画像側の面をセロハン接着テープに貼付し、セロハン接着テープの余白部を咬合床に対する接着手段として利用するので、図２（ａ）に即して言えば、ベースシート２における図２（ａ）の右側面が接着面となる。
【００６１】
次に、本実施例の変更例を図２（ｂ）に示す。この変更例においては、人工歯シート３を接着したベースシート２の裏面に、出歯に適合するように一定の厚み変化を持たせたスペーサー５を接合させている。このスペーサー５は、柔らかい発泡樹脂材からなる。スペーサー５の裏面〔図２（ｂ）の左側面〕には、好ましくは接着剤を塗布しておく。
【００６２】
次に、図１及び図２（ａ）に示す義歯作製用の人工歯シール１の使用状態について説明する。
【００６３】
一般的に義歯の製作手順としては、概形印象から個人トレーを製作して印象採得を行い、次に作業模型の製作から咬合床の作製へ進んで、咬合採得を行った後、人工歯の排列にかかる。このステップにおいて、人工歯の形状、大きさ、並び、あるいは色調について、更には出歯その他の前歯の豊隆について最適の人工歯を選択し、ロウ義歯（咬合床に人工歯を排列したもの）を作製するのである。
【００６４】
本発明によれば、この人工歯の排列ステップを、人工歯シール又はスペーサー付き人工歯シールを使用することにより、正確かつ極めて効率的に行うことができる。即ち、図３に示すように、作製された上顎咬合床６の咬合堤７に対して、実際に人工歯を埋め込んで排列するのではなく、人工歯シール１を貼り付ける。下顎咬合床に対する下前歯用人工歯シールの貼り付けも、同様に行う。
【００６５】
人工歯シール１の貼り付け、貼り替えは非常に容易であるから、その患者に対する前歯義歯として最適の形状、大きさ、並び及び色調に係る人工歯を画像表現した人工歯シール１を選択し、又は必要に応じて最適のスペーサー５を付加したを選択する作業を、容易にかつ効率的に行うことができる。
【００６６】
更に、咬合床６の咬合堤７に人工歯シール１を貼り付けた状態を図４に示すが、実際に人工歯を埋め込み排列した場合と同等の外観が得られることが分かる。従って、人工歯シール１を選択する作業を正確なイメージを伴って行うことができる。この状態で患者に見せれば、患者も希望する人工歯の種類についての意見又は希望を正確なイメージの下に意思表示することができる。
【００６７】
図４において、本来は実線で表記すべきベースシート２の外周線を破線で表記したのは、ベースシート２が無色透明であるため殆ど視認できないほど目立たず、あたかも、咬合堤７に人工歯が実際に埋め込んで排列されているように見える点を強調するためである。
【００６８】
正確に位置決めして咬合堤７に貼り付けた人工歯シール１には、咬合平面、正中線、口角線、口唇線等を書き込み記録しておくと、後の咬合器装着、人工歯排列等のプロセスに有効である。
【産業上の利用可能性】
【００６９】
本発明によって、咬合採得後の咬合床に対して実際に上前歯用又は下前歯用の人工歯を排列することなく、多様な形象及び色調に係るこれらの人工歯が実際に咬合床に排列されたと同等の状態実現できる手段が提供される。
【図面の簡単な説明】
【００７０】
【図１】実施例に係る上前歯用人工歯シールの正面図である。
【００７１】
【図２】図２（ａ）は図１のＸ−Ｘ線断面図を示し、図２（ｂ）は変更例に係る図１のＸ−Ｘ線断面図を示す。
【００７２】
【図３】上顎咬合床に対する人工歯シールの貼り付けの要領を示す斜視図である。
【００７３】
【図４】人工歯シールを貼り付けた上顎咬合床の正面図である。
【符号の説明】
【００７４】
１                人工歯シール
２                ベースシート
３                人工歯シート
４                書込み
５                スペーサー
６                咬合床
７                咬合堤
【図１】
2007044111.tif 000003
【図２】
2007044111.tif 000004
【図３】
2007044111.tif 000005
【図４】
2007044111.tif 000006